(57)【要約】【課題】従来のセキュリティゲートは、認証システムとして通行者の保持する非接触型ＩＣカードに記録された情報と、事前に認証システムに登録された情報を照合すのみである。このため、例えばインフルエンザに感染している高熱の通行者をセキュリティゲートで入場を阻止して集団感染を未然に防ぐ等の対応ができなかった。【解決手段】適宜、利用者の体温を測定するための体温検知手段と、検知された体温が設定体温値より低い場合のみ、システム上で連動したセキュリティゲートの扉を開放する認証システムを備え、或いは一次認証システムと二次認システムとを備えたセキュリティゲートであって、どちらか一方の認証システムに前記認証システムを備えたセキュリティゲートを提案する。【選択図】図１
2011085004.tif 000002
【特許請求の範囲】
【請求項１】
人の出入り管理を目的としたセキュリティゲートにおいて、適宜、利用者の体温を測定するための体温検知手段と、検知された体温が設定体温値より低い場合のみシステム上で連動したセキュリティゲートの扉を開放する認証システムを備えたことを特徴とするセキュリティゲート。
【請求項２】
人の出入り管理を目的としたセキュリティゲートにおいて、通過するための一次認証及び二次認証システムを備え、どちらか一方の認証システムが、前記、請求項１に記載のセキュリティゲート。
【請求項３】
体温検知手段が赤外線検出素子と近接センサとで構成され、検知対象物と近接センサが所定の距離に到達した時点で、赤外線検出素子が体温検知を開始することを特徴とする請求項１乃至２のセキュリティゲート。
【発明の詳細な説明】
【技術分野】
【０００１】  本発明は、オフィスビルやビル内の仕切られたエリア内での安全・安心管理、あるいは、研究所や資料室などの機密保持が要求される場所での人の出入り管理をするセキュリティゲートに関する。
【背景技術】
【０００２】  従来、この種のセキュリティゲートは、適宜、認証システムで照合されて認証された利用者に通過が許される構成としたものが一般的である。具体的には、利用者がシステムに登録する際に発行された専用のＩＤカードを受け取り、セキュリティゲートの入り口に設けたカードタッチ部にかざすことで認証システムにより登録情報と照合され、認証された利用者のみを通過させることで安全・安心管理あるいは機密情報漏洩などを目的として人の出入り管理をおこなっている。【０００３】  前記、認証された利用者のみを通過させるセキュリティゲートでは、認証システムの照合で認証が適性と判断されると、セキュリティゲートに備えた扉が開放され利用者は通過することができる、また、認証が不適性と判断の場合には扉は閉じた状態のため通過ができない。これらの発明は下記の先行技術文献に開示されている。
【先行技術文献】
【特許文献】
【０００４】
【特許文献１】特許公開２００５−９０８０
【発明の概要】
【発明が解決しようとする課題】
【０００５】  しかしながら、前記先行技術文献による提案のセキュリティゲートは、認証システムに登録された情報と利用者のＩＤカードの情報を照合して認証の適正を判断するのみであり、例えば、インフルエンザが流行時に感染した利用者を、オフィスや工場など人の集まる場所への移動を阻止して、インフルエンザの集団感染を防止するための手段として対応することができない。【０００６】  本発明は、セキュリティゲートを通過するための認証基準を設定体温値とし、利用者から検知した体温と照合する認証システムを設けたキュリティゲートを提供するものである。【０００７】  また、他の例として、一次認証システムと二次認証システムとを設けたセキュリティゲートであって、例えば、一方の認証システムの認証基準が登録情報と非接触型ＩＣカードの情報が適性か否かの照合であり、他の認証システムの認証基準が設定体温値より高い、または低いかを照合する認証システムを設けたセキュリティゲートを提供するものである。【０００８】  本発明は、以上の認証システムを設けたセキュリティゲートを提供することにあり、インフルエンザ等による異常体温の利用者がオフィスなど人の集まる場所の出入り口に設置するセキュリティゲートを通過して目的の場所に移動することを阻止し、移動場所におけるインフルエンザ等の集団感染を未然に防ぐことを目的としたセキュリティゲートである。
【課題を解決するための手段】
【０００９】  本発明は、上記目的を達成するために次のような構成をとる。すなわち、請求項１に係る発明は、人の出入り管理を目的としたセキュリティゲートにおいて、適宜、利用者の体温を測定するための体温検知手段と、検知された体温が設定体温値より低い場合のみ、システム上で連動したセキュリティゲートの扉を開放する認証システムを備えたことを特徴とする。【００１０】  請求項２に係る発明は、人の出入り管理を目的としたセキュリティゲートにおいて、通過するための一次認証及び二次認証システムを備え、どちらか一方の認証システムが前記、請求項１に記載の認証システムであることを特徴とする。【００１１】  請求項３に係る発明は、体温検知手段が赤外線検出素子と近接センサとで構成され、検知対象物と近接センサが所定の距離に達すると、赤外線検出素子が体温検知を開始することを特徴とする。
【発明の効果】
【００１２】  請求項１に係る発明の人の出入り管理を目的としたセキュリティゲートは、利用者が通過するための認証基準を設定体温値とすることにより、適宜、利用者の検知体温と照合して設定体温値より低い場合のみ、システム上で連動したセキュリティゲートの扉を開放して通過でき、また、設定体温値より高い場合には、前記扉を閉じているため利用者の通過を阻止する。このため、インフルエンザ等に感染された体温の高い利用者はセキュリティゲートを設置した、人が出入りするオフィスなどの場所へ移動ができずインフルエンザ等の集団感染を未然に防ぐことができる。【００１３】  請求項２に係る発明は、人の出入り管理を目的としたセキュリティゲートにおいて、通過するための一次認証及び二次認証システムを備え、どちらか一方の認証システムが、前記、請求項１に記載のセキュリティゲートであって、他の認証システムが例えば、ＩＤカードで事前の登録情報との照合による認証の場合には、本人確認と同時にインフルエンザ感染の情報を把握でき、企業等で早めの対応が可能となる。【００１４】  請求項３に係る発明は、利用者は非接触で体温検知ができるため、利用者に煩わしさや不便さを感じさせない。また、近接センサと検知対象物とが所定の距離に達すると、赤外線検出素子が体温検知を開始することで、例えば、検知対象物である利用者の顔を最大の検知範囲に調整することで、顔以外の温度検知を排除し正確な体温検知ができる。
【図面の簡単な説明】
【００１５】
【図１】  図１は、本発明の実施例のセキュリティゲートの構成図である。
【図２】  図２は、本発明の実施例のセキュリティゲートの側面図である。
【図３】  図３は、本発明の他の実施例のセキュリティゲート構成図である。
【図４】  図４は、本発明の他の実施例のセキュリティゲート側面図である。
【図５】  図５は、本発明の実施例のフローチャート図である。
【図６】  図６は、本発明の他の実施例のフローチャート図である。
【発明を実施するための形態】
【００１６】  本発明の請求項１に係る発明は、上記目的を達成するために以下の構成であり、図１・図２及び図５を参照して説明をする。すなわち、セキュリティゲート１に体温検知手段である赤外線センサ４と扉３、および開閉手段、及び検知した利用者９の体温と、設定体温値を照合手段で照合し、認証の場合のみにシステム上で連動している扉３を開放する認証システムで構成したセキュリティゲート１である。
【００１７】  以上のように構成されたセキュリティゲート１に設けられた、赤外線センサ４は赤外線検出素子６と近接センサ７及び標示ランプ１１から成り、赤外線検出素子６が体温を正確に検知するために、利用者９はセキュリティゲート１の入り口で赤外線検出素子６に向かって正視し検知対象物である顔を近づける。赤外線センサ４の赤外線検出素子６は利用者９の顔から放射される光を入力とするため、測定視野角Ｂは利用者９の顔の最大範囲に合わせた位置に調整されている。赤外線検出素子６に対し検知対象物の顔が所定の位置に達すると近接センサ７が感知して赤外線検出素子６は検知を開始する。この所定の位置は、検知対象物である利用者９の顔が最大の検知範囲となる位置に調整されている。体温検知の手順は、標示ランプ１１に順次色別で、または音声で利用者９は認識することができる。赤外線検出素子６は非検知対象９である顔から放出される光（赤外線）を受光して、受けた光を赤外線検出素子６で電気信号に変換され、体温検知手段によって必要な情報を電気信号で取り出す。尚、体温検知手段は、他の非接触検温方式でも利用することが可能である。一方、認証基準である設定体温値も電気信号として変換され照合手段に入力されており、前記、検知の電気信号と照合手段で照合され認証の適・不敵を判断する。照合の結果から認証が適性の場合は、セキュリティゲート１の扉３の開閉手段に信号で伝送し扉３がＡ方向に開放されて利用者９はセキュリティゲート１を通過することができる。また、認証が不適性の場合は、開閉手段で扉３が閉じられ通過することができない。以上を示したフローチャートを図５に示す。
【００１８】  以上の構成によるセキュリティゲート１は、例えば、設定体温値を人の平熱体温値に設定すると、検知体温が平熱体温値に比較して高いか、同等或いは以下かの照合をおこなう。照合の結果は標示ランプ１１で色別で表示するか、または、音声で利用者９に知らされ結果の認識ができる。照合の結果は扉３の開閉手段に電気信号で送られ、高い場合には扉３を閉じ、セキュリティゲート１を通過できず、同等か或いは低い場合には扉３がＡ方向に開放され通過ができる。
【００１９】  つぎに、請求項２に係る発明の実施例を図３・図４及び図６を参照して説明をする。セキュリティゲート１０に一次認証システムと、二次認証システムを備え、どちらか一方の認証システムに請求項１に係る発明の認証システムを実施の形態とし、他の認証システムが、例えば、ＩＤカードを使用する認証システムの場合には、セキュリティゲート１０の入口に設けたＩＤカードの情報入力のためのカードタッチ部２に、利用者９は事前に発行されたＩＣカードをかざすことで事前に登録している情報と照合するための照合手段からなる形態である。請求項２に係る発明では、一次認証システムと、二次認証システムの両方が認証された場合のみ、セキュリティゲート１０の扉３をＡ方向に開放し利用者９の通過ができ、若し、どちらか一方の認証が不適合の場合にはセキュリティゲートの扉３は閉じられ通過ができない。以上を示した二次認証システムに、前記、請求項１に記載のシステムを用いた実施例のフローチャートを図６に示す。以上述べた実施例では、一次認証または二次認証の認証基準や項目は都度必要に応じたものに変更ができ、セキュリティゲートの使用範囲や用途の拡大が見込まれる。
【００２０】  請求項３に係る発明である赤外線センサ４は、赤外線検出素子６と近接センサ７とで構成され、利用者９は被検知対象である顔を赤外線検出素子６に近づけ、所定の位置に達すると近接センサ７が感知し、赤外線検出素子６は体温検知を開始する。この位置で赤外線検出素子６が検知対象物である利用者の顔を最大の検知範囲に調整することで、顔以外の温度検知を排除し正確な体温検知ができる。
【００２１】  本発明は上述実施の形態に限らず本発明の要旨を逸脱することなく、その他種々の構成を採り得ることはもちろんである。
【符号の説明】
【００２２】１  セキュリティゲート
２  カードタッチ部
３  扉
４  赤外線センサ
５  ゲートランプ
６  検出素子
７  近接センサ
８  標示ランプ
９  利用者
１０セキュリティゲート
【図１】
2011085004.tif 000003
【図２】
2011085004.tif 000004
【図３】
2011085004.tif 000005
【図４】
2011085004.tif 000006
【図５】
2011085004.tif 000007
【図６】
2011085004.tif 000008